【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
患者を治療するためのシステムであって：
弾性層を備える包帯であって、該弾性層は、皮膚接着剤、第１の取り付け領域、および第２の取り付け領域を有する、包帯；ならびに
引張要素であって：
該包帯の該第１の取り付け領域に除去可能に連結された第１の構造体であって、該第１の構造体は、複数の比較的硬質のセグメント、および少なくとも１つの比較的曲げ可能な部分を備え、該比較的曲げ可能な部分は、該複数の比較的硬質のセグメントのうちの少なくとも２つの間で曲がることを可能にする、第１の構造体；および
該包帯の該第２の取り付け領域に除去可能に連結された第２の構造体；
を備え、該引張要素は、該包帯が比較的弱い歪みを与えられた第１の構成、および該包帯が比較的強い歪みを与えられた第２の構成を有する、引張要素
を備える、システム。
【請求項２】
前記包帯の前記第１の取り付け領域は、前記引張要素の前記第１の構造体に取り付けられた材料の別個のシートを備える、請求項１に記載のシステム。
【請求項３】
前記包帯の前記第２の取り付け領域は、前記引張要素の前記第２の構造体に取り付けられた材料の別個のシートを備える、請求項１または２に記載のシステム。
【請求項４】
前記第１の構造体および前記第２の構造体は、長さを有し、そして前記少なくとも１つの比較的曲げ可能な部分は、該第１の構造体および該第２の構造体の長さに沿った屈曲を可能にする材料を含む、請求項１〜３のいずれか１項に記載のシステム。
【請求項５】
前記少なくとも１つの比較的曲げ可能な部分はヒンジを備える、請求項１〜３のいずれか１項に記載のシステム。
【請求項６】
前記少なくとも１つの比較的曲げ可能な部分は、ワイヤまたは支柱を備える、請求項１〜４のいずれか１項に記載のシステム。
【請求項７】
前記第１の構造体および前記第２の構造体のうちの少なくとも一方は、前記引張要素のある範囲の曲がりを可能にするように構成された、複数の比較的硬質のセグメントを備え、そして該複数のセグメントは、該引張要素の曲がりの範囲を制限するように構成されている、請求項１〜６のいずれか１項に記載のシステム。
【請求項８】
前記引張要素は、被術者の身体プロファイルの一部に概ねマッチするような形状にされるように構成されている、請求項１〜７のいずれか１項に記載のシステム。
【請求項９】
前記引張要素は、前記包帯を成形するように構成されている、請求項１〜８のいずれか１項に記載のシステム。
【請求項１０】
関節リンケージをさらに備え、該関節リンケージは、前記引張要素の前記第１の構造体と前記第２の構造体とに連結され、そして該引張要素が前記第１の構成と前記第２の構成との間を移動することを可能にすることにより、前記包帯の前記弾性層に歪みを与えるように構成されている、請求項１〜９のいずれか１項に記載のシステム。
【請求項１１】
患者を治療するためのシステムであって：
弾性層を備える包帯であって、該弾性層は、皮膚接着剤、第１の取り付け領域および第２の取り付け領域を有する、包帯；ならびに
引張部材であって、該包帯に力を及ぼして該包帯の該弾性層に歪みを付与するように構成されており、そして該弾性層から分離するように構成されており、該引張部材は、該包帯の該第１の取り付け領域に連結されるように構成された第１の構造体、および該包帯の第２の取り付け領域に連結されるように構成された第２の構造体を備え、該引張部材は、該引張部材の該第１の構造体と該第２の構造体との間に関節リンケージをさらに備え、該関節リンケージは、該引張部材が第１の構成と第２の構成との間で動くことを可能にすることにより、該包帯の該弾性層に歪みを与えるように構成されている、引張部材
を備える、システム。
【請求項１２】
前記関節リンケージは旋回要素を備える、請求項１１に記載のシステム。
【請求項１３】
前記第１の構造体および前記第２の構造体のうちの少なくとも一方が、該第１の構造体と該第２の構造体との間で曲がることを可能にするように構成された複数の個別的なセグメントを備える、請求項１１または１２に記載のシステム。
【請求項１４】
前記セグメントが曲げ可能な構造体または変形可能な構造体によって取り付けられている、請求項１３に記載のシステム。
【請求項１５】
前記包帯が、前記弾性層の皮膚接着領域に隣接するフラップ領域を備える、請求項１１〜１４のいずれか１項に記載のシステム。
【請求項１６】
前記引張部材が、前記引張部材を前記包帯から解除するように構成された解除機構を備える、請求項１１〜１５のいずれか１項に記載のシステム。
【請求項１７】
前記引張部材は、前記包帯に力を及ぼして歪みを付与するときに、１より大きい力学的な利点を提供するように構成されている、請求項１１に記載のシステム。
【請求項１８】
前記引張部材の前記第１の構造体および前記第２の構造体のうちの少なくとも一方は、取り付けられた包帯の代替的な形状又はプロファイルを提供するために、湾曲可能、曲げ可能、変形可能、成形可能、又は移動可能である、請求項１１〜１７のいずれか１項に記載のシステム。
【手続補正２】
【補正対象書類名】明細書
【補正対象項目名】０００６
【補正方法】変更
【補正の内容】
【０００６】
本発明は、例えば、以下を提供する：
（項目１）
皮膚表面を治療する装置において、
第１の複数の外向き突起を備えている第１の装置取り付け部材と、
第２の複数の外向き突起を備えている第２の装置取り付け部材と、
前記第１及び第２の装置取り付け部材の間に分離力を及ぼすように構成された弾力性部材と、を備えている装置。
（項目２）
前記弾力性部材を引き込まれた構成に維持するように構成された解除可能な係止機構を更に備えている、項目１に記載の装置。
（項目３）
前記引き込まれた構成は、歪みが与えられた構成である、項目２に記載の装置。
（項目４）
前記解除可能な係止機構は、解除可能なラッチを備えている、項目２に記載の装置。
（項目５）
前記解除可能な係止機構は、所定の歪みで係止するように構成されている、項目３に記載の装置。
（項目６）
前記解除可能な係止機構は、前記所定の歪みで係止される時、更に歪みが与えられても耐えるように構成されている、項目５に記載の装置。
（項目７）
前記解除可能な係止機構は、複数の所定の歪みで係止されるように構成されている、項目３に記載の装置。
（項目８）
前記第１の装置取り付け部材と、前記第２の装置取り付け部材と、前記弾力性部材は、一体化して形成されている、項目１に記載の装置。
（項目９）
創傷包帯材装置は、取り付けられた包帯材を歪みが与えられた構成に維持するように構成され、第１の取り付け領域と、第２の取り付け領域と、前記包帯材が歪みが与えられた構成にある時、取り付けられた包帯材へのアクセスを提供するように構成された前記第１及び第２の取り付け領域の間のアクセス領域と、を備えている、アプリケータを備えている、創傷包帯材装置。
（項目１０）
創傷包帯材において、
上面、下面、第１の縁及び前記第１の縁に対向する第２の縁、を備えているシリコンシート構造であって、前記シリコンシートは、
第１の接着領域、
非接着領域で前記第１の接着領域と隔てられた第２の接着領域、を備えているシリコンシート構造と、
前記第１の縁と前記第１の接着領域との間に位置する第１のフラップ領域と、
前記第２の縁と前記第２の接着領域との間に位置する第２のフラップ領域と、
前記第１のフラップ領域と前記第１の接着領域との間に位置する第１のアプリケータ取り付け部位と、
前記第２のフラップ領域と前記第２の接着領域との間に位置する第２のアプリケータ取り付け部位と、を備えている、創傷包帯材。
（項目１１）
前記第１の接着領域と前記第２の接着領域に剥離可能に取り付けられた第１の剥離ライナーを更に備えている、項目１０に記載の創傷包帯材。
（項目１２）
前記第１のフラップ領域は、接着性フラップ領域である、項目１１に記載の創傷包帯材。
（項目１３）
前記第１のフラップ領域に剥離可能に取り付けられた第２の剥離ライナーを更に備えている、項目１２に記載の創傷包帯材。
（項目１４）
前記第２のフラップ領域は、接着性フラップ領域である、項目１３に記載の創傷包帯材。
（項目１５）
前記第２のフラップ領域に剥離可能に取り付けられた第３の剥離ライナーを更に備えている、項目１４に記載の創傷包帯材。
（項目１６）
前記第１及び第２の接着領域は、少なくとも約２４０ｋｇ／ｍの剥離力を備えた感圧シリコン接着剤を備えている、項目１０に記載の創傷包帯材。
（項目１７）
前記第１及び第２の接着領域は、少なくとも約２７０ｋｇ／ｍの剥離力を備えた感圧シリコン接着剤を備えている、項目１０に記載の創傷包帯材。
（項目１８）
前記第１及び第２の接着領域は、少なくとも約３００ｋｇ／ｍの剥離力を備えた感圧シリコン接着剤を備えている、項目１０に記載の創傷包帯材。
（項目１９）
前記第１及び第２の接着領域は、少なくとも約３３０ｋｇ／ｍの剥離力を備えた感圧シリコン接着剤を備えている、項目１０に記載の創傷包帯材。
（項目２０）
前記第１のアプリケータ取り付け部位は、複数の取り付け開口部を備えている、項目１０に記載の包帯材。
（項目２１）
前記第１の剥離ライナーは、下面と、前記下面とは異なる表面テクスチャを備えた上面と、を有している、項目１１０に記載の包帯材。
（項目２２）
包帯材において、
上面、下面、第１の縁、第２の縁、第１のアプリケータ取り付け部位、前記第１の縁と前記第１のアプリケータ取り付け部位との間のフラップ領域、前記第２の縁から間隔を空けて配置された第２のアプリケータ取り付け部位、を備えた弾性層と、
前記弾性層の前記下面上に位置する第１の接着領域と、を備えている包帯剤。
（項目２３）
創傷を治療する方法において、
第１の歪みが与えられていない領域と第２の歪みが与えられていない領域との間の弾性包帯の内側領域に歪みを与えることであって、それぞれの歪みが与えられていない領域は、前記包帯の２つの対向する縁から間隔を空けて配置されている、弾性包帯の内側領域に歪みを与えることと、
前記包帯の前記歪みが与えられた内側領域を皮膚部位に取り付けることと、から成る創傷を治療する方法。
（項目２４）
前記弾性包帯の前記内側領域に歪みを与えることは、前記包帯の前記歪みが与えられた内側領域を前記皮膚部位に取り付ける前に行われる、項目２３に記載のような創傷を治療する方法。
（項目２５）
前記包帯の前記歪みが与えられた内側領域を前記皮膚部位に取り付けることは、前記包帯の２つの対向する縁を前記皮膚部位に取り付けずに行われる、項目２３に記載のような創傷を治療する方法。
（項目２６）
前記包帯の前記内側領域を前記皮膚部位に取り付けた後、前記包帯の２つの対向する縁を前記皮膚部位に取り付けることを更に備えている、項目２５に記載の方法。
（項目２７）
前記取り付けられた包帯のピーク歪みを下げながら、前記皮膚部位でピーク歪みを上げることを更に備えている、項目２３に記載のような創傷を治療する方法。
（項目２８）
前記包帯の前記２つの対向する縁を前記皮膚部位に取り付けることを更に備えている、項目２３に記載のような創傷を治療する方法。
（項目２９）
前記包帯の前記２つの対向する縁を前記皮膚部位に取り付ける前に、前記包帯の前記歪みが与えられていない領域に歪みを与えることを更に備えている、項目２８に記載のような創傷を治療する方法。
（項目３０）
前記取り付けられていない弾性包帯の前記内側領域に歪みを与えることは、前記取り付けられていない弾性包帯の前記内側領域を所定の歪みまで伸長させることを備えている、項目２３に記載のような創傷を治療する方法。
（項目３１）
切開治療システムにおいて、
少なくとも２つのフックアンドループ領域と少なくとも１つの皮膚接着領域を備えた弾性部材を備えている、切開治療システム。
（項目３２）
前記弾性部材は、弾性層部材である、項目３１に記載の切開治療システム。
（項目３３）
前記少なくとも１つの接着領域は、前記少なくとも２つのフックアンドループ領域ではなく前記弾性部材の対向面に位置している、項目３１に記載の切開治療システム。
（項目３４）
前記少なくとも２つのフックアンドループ領域のそれぞれは、フックアンドループ領域のループ型である、項目３３に記載の切開治療システム。
（項目３５）
前記弾性部材は、少なくとも２つの皮膚接着領域を備えている、項目３１に記載の切開治療システム。
（項目３６）
前記弾性部材の前記少なくとも２つのフックアンドループ領域を補完する少なくとも２つのフックアンドループ領域を備えたアプリケータを更に備えている、項目３１に記載の切開治療システム。
（項目３７）
皮膚表面を治療するシステムにおいて、
第１の装置取り付け部材と、
第２の装置取り付け部材と、
前記第１と第２の装置取り付け部材の分離を維持するために前記装置の上に外部力を持続的に加えることを必要とせずに前記第１と第２の装置取り付け部材を移動可能に分離するように構成された折り畳み式構造と、を備えた引張部材を備えている、システム。
（項目３８）
前記引張部材の前記第１及び第２の装置取り付け部材に付着するように構成された弾性部材を更に備えている、項目３７に記載のシステム。
（項目３９）
前記弾性部材は、前記引張部材の前記第１及び第２の装置取り付け部材に除去可能に付着するように構成されている、項目３８に記載のシステム。
（項目４０）
前記弾性材料は、６０％の工学歪みで１ｍｍ当たり少なくとも０．３５ニュートンの幅当たりの荷重を有ししている、項目３８に記載のシステム。
（項目４１）
前記弾性材料は、６０％の工学歪みで１ｍｍ当たり約２ニュートン以下の幅当たりの荷重を有している、項目４０に記載のシステム。
（項目４２）
前記弾性材料は、６０％の工学歪みで１ｍｍ当たり約１ニュートン以下の幅当たりの荷重を有している、項目４０に記載のシステム。
（項目４３）
前記弾性材料は、６０％の工学歪みで１ｍｍ当たり約０．７ニュートン以下の幅当たりの荷重を有している、項目４０に記載のシステム。
（項目４４）
前記弾性材料は、６０％の工学歪みで１ｍｍ当たり約０．５ニュートン以下の幅当たりの荷重を有している、項目４０に記載のシステム。
（項目４５）
前記弾性材料は、０％の工学歪みから６０％まで減らない幅当たりの荷重を有している、項目４０に記載のシステム。
（項目４６）
前記弾性材料は、０％の工学歪みから６０％まで直線的に増える幅プロット当たりの荷重を有している、項目４０に記載のシステム。
（項目４７）
前記弾性材料は、０％の工学歪みから６０％まで凸状ではない幅プロット当たりの荷重を有している、項目４０に記載のシステム。
（項目４８）
前記弾性材料は、３０％の工学歪みまで歪みを与え、表面に付着させた時に少なくとも８時間の間実質的な一定応力を２００ｋＰａから約５００ｋＰａまでの前記範囲内に維持するように構成された接着剤を備えている、項目４０に記載のシステム。
（項目４９）
前記弾性材料は、３０％の工学歪みまで歪みを与え、表面に付着させた時に少なくとも８時間の間実質的な一定応力を２００ｋＰａから約４００ｋＰａまでの前記範囲内に維持するように構成された接着剤を備えている、項目４０に記載のシステム。
（項目５０）
前記実質的な一定応力は、少なくとも８時間を通して１０％未満だけ変化する、項目４９に記載のシステム。
（項目５１）
前記実質的な一定応力は、少なくとも８時間を通して５％未満だけ変化する、項目４９に記載のシステム。
（項目５２）
前記折り畳み式構造は、２つの折り畳み式支持部と２つの固定式支持部を備えている、項目３７に記載のシステム。
（項目５３）
前記２つの折り畳み式支持部のそれぞれは、前記２つの固定式支持部の両方と関節結合している、項目５２に記載のシステム。
（項目５４）
前記２つの折り畳み式支持部は、それぞれ、２つの旋回可能に接続された副支持部を備えている、項目５３に記載のシステム。
（項目５５）
前記折り畳み式構造は、折り畳み状態と拡張状態を備えていて、前記折り畳み状態では、前記旋回可能に接続された副支持部のそれぞれは、前記２つの折り畳み式支持部と直交する線と少なくとも３０度の角度を成している、項目５４に記載のシステム。
（項目５６）
使用者が及ぼす力を、前記折り畳み式構造を通して送るように構成された型押し構造を更に備えている、項目３７に記載のシステム。
（項目５７）
前記型押し構造は、型押し面と弾力性部材を備えている、項目５６に記載のシステム。
（項目５８）
前記弾力性部材は、ばねである、項目５７に記載のシステム。
（項目５９）
前記２つの固定式支持部は、実質的に平行に向いており、前記２つの固定式支持部の少なくとも１つは、前記平行な向きに垂直な運動軸に沿って並進するように構成されている、項目５２に記載のシステム。
（項目６０）
前記折り畳み式構造は、前記分離力を及ぼす時に力学的な利点を提供するように構成されている、項目３７に記載のシステム。
（項目６１）
前記力学的な利点は、前記折り畳み式構造の移動範囲を通して提供される、項目６０に記載のシステム。
（項目６２）
前記力学的な利点は、前記折り畳み式構造の移動範囲の一部で提供される、項目６０に記載のシステム。
（項目６３）
皮膚治療装置に歪みを引き起こすために分離力を及ぼすように構成された引張装置において、前記引張装置は、
引張部材と、
除去可能に皮膚治療装置に付着するように構成された第１の取り付け部分と除去可能に前記皮膚治療装置に付着するように構成された第２の取り付け部分と、を備えていて、
前記引張部材は、前記第１及び第２の取り付け部分に取り付けられた皮膚治療装置に歪みを引き起こすために前記第１の取り付け部分と前記第２の取り付け部分との間に分離力を及ぼすように構成されている、引張装置。
（項目６４）
前記引張部材は、前記皮膚治療装置の１ｍｍ幅当たり少なくとも約０．２５ニュートンの荷重を用いて前記皮膚治療装置に４０％の工学歪みまで歪みを与えるように構成されている、項目６３に記載の引張装置。
（項目６５）
前記皮膚治療装置に４０％の前記工学歪みまで歪みを与える前記荷重は、前記皮膚治療装置の１ｍｍ幅当たり約１ニュートンより大きくない、項目６３に記載の引張装置。
（項目６６）
前記皮膚治療装置に４０％の前記工学歪みまで歪みを与える前記荷重は、前記皮膚治療装置の１ｍｍ幅当たり約０．５ニュートンより大きくない、項目６５に記載の引張装置。
（項目６７）
前記引張部材は、前記皮膚治療装置の１ｍｍ幅当たり少なくとも約０．３５ニュートンの荷重を用いて前記皮膚治療装置に６０％の工学歪みまで歪みを与えるように構成されている、項目６３に記載の引張装置。
（項目６８）
前記皮膚治療装置に６０％の前記工学歪みまで歪みを与える前記荷重は、前記皮膚治療装置の１ｍｍ幅当たり約１ニュートンより大きくない、項目６６に記載の引張装置。
（項目６９）
前記引張部材は、前記分離力を及ぼすように構成された弾力性部材を備えている、項目６３に記載の引張装置。
（項目７０）
前記弾力性部材を第１の構成まで引き込み、その後前記弾力性部材を歪みが与えられた構成まで解除するように構成された圧縮部材を更に備えていて、それによって、歪みが、前記第１及び第２の取り付け部分に取り付けられた皮膚治療装置に生み出される、項目６９８に記載の引張装置。
（項目７１）
前記弾力性部材を前記第１の構成に解除可能に係止するように構成された解除可能係止機構を更に備えている、項目７０９に記載の引張装置。
（項目７２）
前記係止機構は、前記皮膚治療装置の所定の歪みの範囲に対応する弾力性部材構成の範囲に亘って係止するように構成されている、項目７１に記載の引張装置。
（項目７３）
前記係止機構は、約０％から約６０％までの範囲内の所定の歪みの範囲に亘って係止するように構成されている、項目７２に記載の引張装置。
（項目７４）
前記係止機構は、約１０％から約５０％までの範囲内の所定の歪みの範囲に亘って係止するように構成されている、項目７２に記載の引張装置。
（項目７５）
前記引張部材は、前記分離力を及ぼすように構成された機械力アプリケータを備えている、項目６３に記載の引張装置。
（項目７６）
前記機械力アプリケータは、前記力をかける力学的利点を提供する、項目７５に記載の引張装置。
（項目７７）
前記機械力アプリケータは、手動で作動させることができる、項目７５に記載の引張装置。
（項目７８）
前記第１及び第２の取り付け部分の少なくとも１つは、フックアンドループ機構を備えている、項目６３に記載の引張装置。
（項目７９）
前記第１及び第２の取り付け部分の少なくとも１つは、前記皮膚治療装置の開口部で受け取られるように構成された延長部材を備えている、項目６３に記載の引張装置。
（項目８０）
前記第１及び第２の取り付け部分の少なくとも１つは、皮膚治療装置の取り付け部材を受け取るための開口部を備えている、項目６３に記載の引張装置。
（項目８１）
前記第１の取り付け部分と前記第２の取り付け部分の少なくとも１つは、前記皮膚治療装置の分離を円滑にするために前記引張部材に対して動くように構成されている、項目６３に記載の引張装置。
（項目８２）
前記第１の取り付け部分と前記第２の取り付け部分の少なくとも１つは、前記引張部材に対して旋回又は回転するように構成されている、項目８１に記載の引張装置。
（項目８３）
前記第１の取り付け部分と第２の取り付け部分の少なくとも１つは、前記引張部材に対して引き込むように構成されている、項目８１に記載の引張装置。
（項目８４）
前記引張装置は、使用者が皮膚治療装置を被術者の皮膚に貼り付けることを可能にするように構成されたアプリケータである、項目６３に記載の引張装置。
（項目８５）
被術者の皮膚に貼り付けられている皮膚治療装置に圧力を加えるように構成された圧力パッドを更に備えている、項目６３に記載の引張装置。
（項目８６）
前記圧力パッドは、前記第１及び第２の取り付け部分の間に位置している、項目８５に記載の引張装置。
（項目８７）
前記引張部材は、曲線構成を有している、項目６３に記載の引張装置。
（項目８８）
前記引張部材は、曲線平面構成を有している、項目８７に記載の引張装置
（項目８９）
前記引張部材は、所定の係止構成に対する変形に自動的に追随して係止するように構成され
（項目９０）
治療装置を表面に貼り付ける方法において、
治療装置に少なくとも所定の歪み閾値まで歪みを与えるように前記引張装置を作動させることと、
前記引張装置へ加えられる力の外部印加を必要とせずに前記治療装置の歪みを維持することと、
前記歪みが与えられた治療装置を治療部位に貼り付けることと、
前記治療装置を前記引張装置から取り外すことと、から成る方法
（項目９１）
前記引張装置を作動させる前に前記治療装置を前記引張装置へ取り付けることを更に備えている、項目９０に記載の方法。
（項目９２）
前記引張装置を作動させることは、前記引張装置を圧迫することを備えている、項目９０に記載の方法。
（項目９３）
前記治療装置の前記歪みの少なくとも幾つかを解放することを更に備えている、項目９０に記載の方法。
（項目９４）
前記治療装置の前記歪みの少なくとも幾つかを解放することは、前記引張装置を折り畳むことを備えている、項目９３に記載の方法。
（項目９５）
前記引張装置を、前記引張装置を作動させる所定の構成に係止することを更に備えている、項目９４に記載の方法。
（項目９６）
前記引張装置を係止することは、前記治療装置に前記所定の歪み閾値まで歪みを与えた後、自動的に起こる、項目９５に記載の方法。
（項目９７）
前記治療装置の中の前記歪みを解放することは、前記引張装置の係止機構を解除することを備えている、項目９５に記載の方法。
（項目９８）
前記治療装置を前記引張装置に取り付けることは、前記引張装置上に位置する２つの取り付け機構を使用して、２つの別々の場所で行われる、前記治療装置を前記引張装置に取り付けることを備えている、項目９０に記載の方法。
（項目９９）
前記治療装置を前記治療部位に押し当てることを更に備えている、項目９８に記載の方法。
（項目１００）
前記治療装置を押圧することは、前記治療装置を前記引張装置から取り外す前に行われる、項目９９に記載の方法。
（項目１０１）
前記治療装置を押圧することは、前記引張装置の前記２つの取り付け機構の間に位置する弾力性スタンパ機構を押し下げることを備えている、項目９９に記載の方法。
（項目１０２）
前記治療装置を押圧することは、手動で前記治療装置の上に押圧するために前記引張装置のアクセス開口部に手を入れることを備えている、項目９９に記載の方法。
本明細書に記載される装置、キット及び方法は、概ね平面的な力を包帯から皮膚表面へ伝達するために皮膚接着剤を使用して後に皮膚に貼られる弾性皮膚治療装置に所定の歪みを加える及び／又は維持することによる瘢痕及び／又はケロイドの治療、改善又は防止を含む、創傷治癒用のものであり得る。アプリケータは、歪みを加える及び／又は維持するために使用され、アプリケータの幾つかは、更に、皮膚治療装置の上に荷重を及ぼす時に、少なくとも幾つかの力学的な利点を使用者に提供するように構成されている。